(57)【要約】【課題】  小便器用薬液供給装置を、簡単に且つ確実に、小便器の壁面に取り付けることができる、取付機構を、提供すること。【解決手段】  シール９１を壁面８１に貼り付け、シール９１に両面テープ９２を介して取付板９３を貼り付け、取付板９３のフック９３１にフック用開口部を介して小便器用薬液供給装置１０を引っ掛けることにより、装置１０を小便器８の壁面８１に取り付けるようになっていることを特徴としている。【選択図】図１
2005344347.tif 000002
【特許請求の範囲】
【請求項１】
小便器の壁面に取り付けられて、壁面を流れる洗浄水を取り込んで壁面に沿うよう排出するようになっており、且つ、取り込んだ洗浄水を一時貯留させ、収容している薬剤を貯留した洗浄水によって溶解し、薬剤が溶解した洗浄水を排出するようになっている、小便器用薬液供給装置であって、
容器本体と、洗浄水取込用部材と、洗浄水排出用部材とを、備えており、
容器本体が、小便器の上記壁面に対向する背面部を有し、薬剤を収容可能な上開きの形態を有し、且つ、間仕切りのない１つの部屋で構成されており、
洗浄水取込用部材が、容器本体の背面側の上部から延びて上記壁面に接するよう設けられており、
洗浄水排出用部材が、容器本体の背面側の下部から延びて上記壁面に接するよう設けられており、
容器本体の上記背面部が、上部に、貯留された洗浄水をオーバーフローさせる溢れ口を有しており、且つ、下部に、取り込まれた洗浄水を排出させる排出口を有しており、
排出口が、開口面積を変更可能に設けられていることを特徴とする小便器用薬液供給装置。
【請求項２】
更に、蓋体を備えており、
蓋体が、正面衝立部と蓋部とを備え、容器本体に着脱自在に設けられており、
正面衝立部が、蓋体が容器本体に取り付けられた場合に、容器本体の上開口の正面側で上に延びた壁を構成するよう設けられており、
蓋部が、蓋体が容器本体に取り付けられた場合に、収容している薬剤が上開口から露出するのを防止するよう、容器本体の上開口の一部を覆うよう設けられている、請求項１記載の小便器用薬液供給装置。
【請求項３】
洗浄水取込用部材及び洗浄水排出用部材の少なくとも一方が、弾性板からなっている、請求項１記載の小便器用薬液供給装置。
【請求項４】
洗浄水取込用部材が、容器本体に着脱自在に設けられている、請求項１記載の小便器用薬液供給装置。
【請求項５】
洗浄水取込用部材が、上記壁面に接する部分の幅寸法を変更可能に設けられている、請求項１記載の小便器用薬液供給装置。
【請求項６】
洗浄水取込用部材が、取り込む洗浄水の流通路となる縦溝を有している、請求項１記載の小便器用薬液供給装置。
【請求項７】
排出口が、排出口に沿って移動可能なスライド板によって、開口面積が変更可能となっている、請求項１記載の小便器用薬液供給装置。
【請求項８】
小便器用薬液供給装置を小便器の壁面に取り付けるための取付機構であって、
小便器用薬液供給装置が、小便器の壁面に取り付けられて、壁面を流れる洗浄水を取り込んで壁面に沿うよう排出するようになっており、且つ、取り込んだ洗浄水を一時貯留させ、収容している薬剤を貯留した洗浄水によって溶解し、薬剤が溶解した洗浄水を排出するようになっているものであり、
取付機構が、
シールと、両面テープと、フックを有する取付板と、小便器用薬液供給装置のフック用開口部と、で構成されており、
シールを上記壁面に貼り付け、シールに両面テープを介して取付板を貼り付け、取付板のフックにフック用開口部を介して小便器用薬液供給装置を引っ掛けることにより、小便器用薬液供給装置を小便器の壁面に取り付けるようになっていることを特徴とする小便器用薬液供給装置の取付機構。
【請求項９】
フック用開口部が、フックを挿し込んで横方向にスライドさせると、フックを抜くのが不可能となるよう形成されている、請求項８記載の小便器用薬液供給装置の取付機構。
【請求項１０】
取付機構が、更に、シールと両面テープとの接触面を封止するための封止材を有しており、封止材を両面テープの周縁に塗布するようになっている、請求項８記載の小便器用薬液供給装置の取付機構。
【請求項１１】
請求項１ないし７のいずれかに記載の小便器用薬液供給装置を取り付ける、請求項８ないし１０のいずれかに記載の小便器用薬液供給装置の取付機構。
【発明の詳細な説明】
【技術分野】
【０００１】
本発明は、小便器用薬液供給装置及びその取付機構に関するものである。小便器用薬液供給装置は、小便器の壁面に取り付けられて、壁面を流れる洗浄水を取り込み、収容している薬剤を取り込んだ洗浄水によって溶解し、薬剤が溶解した洗浄水（薬液）を排出するようになっているものである。小便器用薬液供給装置は、薬液を小便器の壁面に流すことによって、小便器の清浄化を図るものである。取付機構は、小便器用薬液供給装置を小便器の壁面に取り付けるものである。
【背景技術】
【０００２】
小便器の壁面に取り付けられて使用される小便器用薬液供給装置は、例えば、特許文献１〜３に示すように、公知である。
【０００３】
ところで、特許文献１〜３では、次のようにして、装置を小便器の壁面に取り付けている。すなわち、特許文献１では、レバー状の固定部材の先端部を散水口に引っ掛けることにより、装置を小便器に取り付けている。特許文献２では、フック状の吊下手段を流水のための配管及び開口部に引っ掛けることにより、装置を小便器に取り付けている。特許文献３では、吸盤によって、装置を小便器の壁面に取り付けている。
【特許文献１】実開平５−１０５７４号
【特許文献２】特開平８−１４４３５４号公報
【特許文献３】特開２００３−２４７２５６号公報
【発明の開示】
【発明が解決しようとする課題】
【０００４】
特許文献１、２では、装置の取付が不安定であり、装置が容易に外れてしまう恐れがあった。特許文献３では、装置が容易に外れてしまう恐れは少ないが、装置を小便器の壁面に取り付ける際に吸盤を強く吸着させる必要があるため、取付作業が面倒であった。
【０００５】
また、小便器用薬液供給装置においては、従来に比して更に高い清浄効果を発揮できるものが、望まれている。
【０００６】
本発明は、従来に比して更に高い清浄効果を発揮できる小便器用薬液供給装置を、提供すること、及び、小便器用薬液供給装置を、簡単に且つ確実に、小便器の壁面に取り付けることができる、取付機構を、提供すること、を目的としている。
【課題を解決するための手段】
【０００７】
請求項１記載の発明は、小便器の壁面に取り付けられて、壁面を流れる洗浄水を取り込んで壁面に沿うよう排出するようになっており、且つ、取り込んだ洗浄水を一時貯留させ、収容している薬剤を貯留した洗浄水によって溶解し、薬剤が溶解した洗浄水を排出するようになっている、小便器用薬液供給装置であって、容器本体と、洗浄水取込用部材と、洗浄水排出用部材とを、備えており、容器本体が、小便器の上記壁面に対向する背面部を有し、薬剤を収容可能な上開きの形態を有し、且つ、間仕切りのない１つの部屋で構成されており、洗浄水取込用部材が、容器本体の背面側の上部から延びて上記壁面に接するよう設けられており、洗浄水排出用部材が、容器本体の背面側の下部から延びて上記壁面に接するよう設けられており、容器本体の上記背面部が、上部に、貯留された洗浄水をオーバーフローさせる溢れ口を有しており、且つ、下部に、取り込まれた洗浄水を排出させる排出口を有しており、排出口が、開口面積を変更可能に設けられていることを特徴としている。
【０００８】
請求項２記載の発明は、請求項１記載の発明において、更に、蓋体を備えており、蓋体が、正面衝立部と蓋部とを備え、容器本体に着脱自在に設けられており、正面衝立部が、蓋体が容器本体に取り付けられた場合に、容器本体の上開口の正面側で上に延びた壁を構成するよう設けられており、蓋部が、蓋体が容器本体に取り付けられた場合に、収容している薬剤が上開口から露出するのを防止するよう、容器本体の上開口の一部を覆うよう設けられているものである。
【０００９】
請求項３記載の発明は、請求項１記載の発明において、洗浄水取込用部材及び洗浄水排出用部材の少なくとも一方が、弾性板からなっているものである。
【００１０】
請求項４記載の発明は、請求項１記載の発明において、洗浄水取込用部材が、容器本体に着脱自在に設けられているものである。
【００１１】
請求項５記載の発明は、請求項１記載の発明において、洗浄水取込用部材が、上記壁面に接する部分の幅寸法を変更可能に設けられているものである。
【００１２】
請求項６記載の発明は、請求項１記載の発明において、洗浄水取込用部材が、取り込む洗浄水の流通路となる縦溝を有しているものである。
【００１３】
請求項７記載の発明は、請求項１記載の発明において、排出口が、排出口に沿って移動可能なスライド板によって、開口面積が変更可能となっているものである。
【００１４】
請求項８記載の発明は、小便器用薬液供給装置を小便器の壁面に取り付けるための取付機構であって、小便器用薬液供給装置が、小便器の壁面に取り付けられて、壁面を流れる洗浄水を取り込んで壁面に沿うよう排出するようになっており、且つ、取り込んだ洗浄水を一時貯留させ、収容している薬剤を貯留した洗浄水によって溶解し、薬剤が溶解した洗浄水を排出するようになっているものであり、取付機構が、シールと、両面テープと、フックを有する取付板と、小便器用薬液供給装置のフック用開口部と、で構成されており、シールを上記壁面に貼り付け、シールに両面テープを介して取付板を貼り付け、取付板のフックにフック用開口部を介して小便器用薬液供給装置を引っ掛けることにより、小便器用薬液供給装置を小便器の壁面に取り付けるようになっていることを特徴としている。
【００１５】
請求項９記載の発明は、請求項８記載の発明において、フック用開口部が、フックを挿し込んで横方向にスライドさせると、フックを抜くのが不可能となるよう形成されているものである。
【００１６】
請求項１０記載の発明は、請求項８記載の発明において、取付機構が、更に、シールと両面テープとの接触面を封止するための封止材を有しており、封止材を両面テープの周縁に塗布するようになっているものである。
【００１７】
請求項１１記載の発明は、請求項１ないし７のいずれかに記載の小便器用薬液供給装置を取り付ける、請求項８ないし１０のいずれかに記載の小便器用薬液供給装置の取付機構である。
【発明の効果】
【００１８】
請求項１記載の発明によれば、小便器の上部から噴出された洗浄水を取り込んで、薬液を排出することができる。したがって、小便器の壁面の清浄化を図ることができる。
【００１９】
しかも、容器本体が間仕切りの無い１つの部屋で構成されているので、薬剤を洗浄水に十分に浸漬させることができる。したがって、薬液の濃度を高めることができる。それ故、清浄効果を向上できる。
【００２０】
また、洗浄水の取り込み量が排出量よりも大きくなりすぎた場合には、貯留された洗浄水が溢れる恐れがある。しかし、背面部に溢れ口を有しているので、貯留された洗浄水は、正面側から溢れる前に、溢れ口から溢れる。したがって、洗浄水が正面側から溢れるのを防止できる。また、溢れ口からオーバーフローした洗浄水は、背面部の外面上を流れ、洗浄水排出用部材の背面上を流れて、壁面に至るので、オーバーフローした洗浄水を、壁面の清浄化に使用できる。
【００２１】
また、排出口の開口面積が変更可能であるので、取り込んだ洗浄水の排出量を調節できる。それにより、洗浄水の貯留量を設定できる。したがって、薬剤の溶解の程度を調節でき、小便器の汚れの程度に適した濃度の薬液を生成させることができる。
【００２２】
従って、請求項１記載の小便器用薬液供給装置によれば、従来に比して更に高い清浄効果を発揮できる。
【００２３】
請求項２記載の発明によれば、洗浄水取込用部材によって取り込まれる洗浄水が跳ね上がっても、その洗浄水は、蓋体の正面衝立部に背面側から衝突して落下する。したがって、洗浄水が正面側に飛び散るのを、防止できる。
【００２４】
しかも、貯留された洗浄水によって薬剤が浮き上がってきても、薬剤は、蓋部によって押さえ付けられるため、蓋部より上には浮かばない。したがって、薬剤を洗浄水に十分に浸漬させることができる。また、薬剤が浮き上がって容器本体からこぼれ落ちてしまうのを、防止できる。
【００２５】
請求項３記載の発明によれば、洗浄水取込用部材が弾性板からなる場合には、該部材の上縁を壁面に圧接させることができる。したがって、壁面を流れ落ちてくる洗浄水を、上記部材によって効率良く取り込むことができる。よって、洗浄水の取り込み量を増大できる。
【００２６】
また、洗浄水排出用部材が弾性板からなる場合には、該部材の下縁の波状の凸部を壁面に圧接させることができる。したがって、排出する洗浄水を確実に壁面に沿わせることができる。
【００２７】
請求項４記載の発明によれば、小便器の洗浄水の噴出形式に適したタイプの洗浄水取込用部材を用いることができる。
【００２８】
請求項５記載の発明によれば、幅寸法を変更することにより、洗浄水取込用部材による洗浄水の取り込み量を調節できる。それにより、洗浄水の貯留量を設定できる。したがって、薬剤の溶解の程度を調節でき、小便器の汚れの程度に適した濃度の薬液を生成させることができる。
【００２９】
請求項６記載の発明によれば、洗浄水取込用部材の正面上を流れる洗浄水は、縦溝を通って円滑に容器本体内へ取り込まれる。したがって、洗浄水の取り込みを円滑に行うことができる。
【００３０】
請求項７記載の発明によれば、排出口の開口面積を、簡単に、確実に、且つ、精度良く、変更できる。
【００３１】
請求項８記載の発明によれば、小便器の壁面にシールを貼り付け、シールに取付板を両面テープによって貼り付け、取付板のフックに小便器用薬液供給装置を引っ掛けることによって、該装置を壁面に取り付けることができる。したがって、上記装置を壁面に簡単に取り付けることができる。
【００３２】
請求項９記載の発明によれば、フックがフック用開口部から抜けないようになるので、小便器用薬液供給装置を小便器の壁面に確実に取り付けることができる。
【００３３】
請求項１０記載の発明によれば、両面テープがシールから簡単に剥がれてしまうのを防止できる。
【００３４】
請求項１１記載の発明によれば、請求項１ないし７のいずれかに記載の小便器用薬液供給装置を、小便器の壁面に、簡単に且つ確実に、取り付けることができる。
【発明を実施するための最良の形態】
【００３５】
図１は本発明の小便器用薬液供給装置１０及びその取付機構９を示す斜視図、図２は取り付けられて使用されている状態の本発明の装置１０を示す斜視図、図３は取付機構９を有する装置１０の正面図、図４は図３のIV−IV断面図、図５は図３のＶ矢視図、図６は図５のVI矢視図、図７は装置１０の分解斜視図、図８は図７のＡ部の背面斜視図である。装置１０は、小便器８の壁面８１に取り付けられて使用される。装置１０は、特に図７及び図８からわかるように、容器本体１と、洗浄水取込用部材２と、洗浄水排出用部材３と、蓋体４と、からなっている。取付機構９は、特に図１からわかるように、シール９１と、両面テープ９２と、フック９３１を有する取付板９３と、封止材９４と、装置１０のフック用開口部９５（図８）と、からなっている。開口部９５は、フック９３１が引っ掛けられる部分である。
【００３６】
容器本体１は、小便器８の壁面８１に対向する背面部１１を有し、且つ、薬剤５を収容可能な上開きの形態を有している。容器本体１は、間仕切りの無い１つの部屋で構成されている。特に図８に示すように、背面部１１は、板状の背面中央部１２と、縦に延びた四角筒状の背面両側部１３と、からなっている。
【００３７】
背面中央部１２の下部には、排出口１４が横長の開口として設けられている。排出口１４の内側には、２つのスライド板１４１が排出口１４に沿ってスライドして排出口１４を開閉するように設けられている。これにより、排出口１４の開口面積は、スライド板１４１をスライドさせることによって、変更可能となっている。スライド板１４１には、排出口１４の外側の下方に延びた摘み１４２が設けられている。背面中央部１２の上縁１２１は、背面両側部１３の上縁１３１より一段低くなっている。この段差分の空間により、溢れ口１５が構成されている。
【００３８】
各背面両側部１３の上部は、洗浄水取込用部材２の各取付片２１が上方から挿し込まれてストッパ５１によって固定されるようになっている。また、各背面両側部１３の下部は、洗浄水排出用部材３の各取付片３１が下方から挿し込まれてストッパ５１によって固定されるようになっている。更に、各背面両側部１３の中間部には、横方向に一部が連結した大開口９５１と小開口９５２とが形成されている。両開口９５１、９５２は、後述するように、取付機構９における装置１０の開口部９５を構成している。
【００３９】
容器本体１の内部には、平面図である図９に示すように、リブ１７が４個設けられている。リブ１７は、容器本体１内に設置される網目状の載置板１６（図７）を支持するためのものである。リブ１７は、背面側と正面側に、対向しないよう、２個ずつ設けられている。また、容器本体１の内部には、両側に、１対の縦壁で構成された縦スリット部１８が設けられている。縦スリット部１８は、後述するように、蓋体４を取り付けるためのものである。載置板１６は、薬剤５を載置するためのものである。
【００４０】
蓋体４は、正面衝立部４１と蓋部４２とからなっている。図１０は蓋体４の正面図である。蓋部４２の両側端部の下面には、板状の脚部４３が設けられている。蓋体４は、図４に示すように、脚部４３を縦スリット部１８に上方から挿し込むことによって、容器本体１の上開口に着脱自在に取り付けられるようになっている。
【００４１】
正面衝立部４１は、蓋体４が容器本体１に取り付けられた場合に、容器本体１の上開口の正面側で上に延びた壁を構成するようになっている。蓋部４２は、網目状の板体からなっている。すなわち、蓋部４２は、洗浄水を貫通させ得るようになっている。蓋部４２は、正面衝立部４１の背面側に、多数のリブ４２１を介して、設けられている。蓋部４２は、容器本体１の上開口の前後方向の一部を幅方向に塞ぐ大きさで設けられている。これにより、蓋部４２は、収容している薬剤５が浮き上がって容器本体１の上開口から露出するのを、防止している。
【００４２】
洗浄水取込用部材２は、例えばゴムなどの弾性材料でできた板体からなっている。部材２は、上述したように、取付片２１を背面両側部１３の上部に挿し込んでストッパ５１によって固定することにより、容器本体１に着脱自在に取り付けられている。部材２は、概ね四角形状を有している。部材２は、容器本体１に取り付けられた状態で、上縁２２が小便器８の壁面８１に接するよう設けられている。部材２は、表面に複数本の横溝２３及び縦溝２４（図５）を有している。縦溝２４は、取り込む洗浄水の流通路を構成している。部材２は、図１１に示すように、一部を切断して取り除くことによって、壁面８１に接する幅寸法Ｗを変更することができるようになっている。
【００４３】
なお、上記部材２は、図１２の（ｂ）に示すように、洗浄水の噴出形式がスプレッダータイプである小便器８に使用するのが好ましい。一方、図１２の（ａ）に示すように、洗浄水の噴出形式がシャワータイプの小便器８０には、洗浄水取込用部材２０を使用するのが好ましい。部材２０は、概ね扇形状を有し、且つ、幅方向両側に太い縦溝２０４を有している点が、部材２と異なっており、その他の構成は部材２と同じである。
【００４４】
洗浄水排出用部材３は、例えばゴムなどの弾性材料でできた板体からなっている。部材３は、上述したように、取付片３１を背面両側部１３の下部に挿し込んでストッパ５１によって固定することにより、容器本体１に着脱自在に取り付けられている。部材３は、概ね四角形を有している。部材３の下縁３２は波状に形成されている。部材３は、容器本体１に取り付けられた状態で、下縁３２の波状の凸部３２１（図３）が小便器８の壁面８１に接するよう設けられている。
【００４５】
装置１０は、次のように組み立てられている。すなわち、図７に示すように、部材２及び部材３を容器本体１に取り付ける。また、載置板１６を容器本体１内に入れてリブ１７上に設置し、薬剤５を薬剤カバー５０で覆った状態で載置板１６上に載置する。また、蓋体４を容器本体１の上開口に取り付ける。なお、図７では、２個の薬剤５を収容する場合を示しているが、図４などでは、１個の長い薬剤５を収容した場合を示している。
【００４６】
取付機構９は、次のようにして、装置１０を小便器８の壁面８１に取り付けるようになっている。すなわち、まず、図１３に示すように、センサー７１を、テープ７２で塞ぐことによって、反応しないようにする。そして、壁面８１の取付箇所を、乾布によって、綺麗に拭く。次に、図１４に示すように、壁面８１の取付箇所８１０に、シール９１を貼り付ける。シール９１は、透明フィルムからなっており、貼着紙９１１を剥いで貼着面９１２を露出させて用いる。すなわち、シール９１を、貼着面９１２にて取付箇所８１０に貼り付ける。次に、取付板９３の背面に貼り付けている両面テープ９２の貼着紙９２１を剥いで、両面テープ９２の貼着面９２２を露出させる。そして、取付板９３を、貼着面９２２にてシール９１に貼り付ける。次に、図１５に示すように、シール９１と両面テープ９２との接着面を封止するために、両面テープ９２の周縁に封止材９４を塗布する。封止材９４は、チューブ９４１から押し出し、へら９４２で整える。これにより、図１６に示すように、取付板９３が、壁面８１に取り付けられた状態となる。そして、図１に示すように、取付板９３のフック９３１に、開口部９５を介して、装置１０を引っ掛けることにより、装置１０を壁面８１に取り付ける。
【００４７】
開口部９５は、図８に示すように、大開口９５１と小開口９５２とからなっている。大開口９５１は、フック９３１の先端９３１１（図１、図１８）の縦寸法と同等以上の大きさを有している。一方、小開口９５２は、フック９３１の先端９３１１の縦寸法より小さい寸法を有している。図１７は、取付機構９の横断面部分図であり、図８のＸVII−ＸVII断面に相当する図である。図１７に示すように、フック９３１の先端９３１１は、装置１０に対して相対的に、大開口９５１に差し込まれた後に小開口９５２へスライドされる。図１８は図１７のＸVIII−ＸVIII断面図である。図１８に示すように、フック９３１の先端９３１１は、小開口９５２から抜けない状態となっている。これにより、装置１０は、開口部９５を介して、取付板９３に取り付けられる。
【００４８】
取付板９３は、フック９３１の他に、複数本（ここでは４本）の突起９３２を有している。突起９３２は、図４に示すように、先端が背面両側部１３に当接することによって、装置１０の背面部１１を取付板９３に対して平行に維持する。
【００４９】
なお、取り付けた装置１０の排出口１４の開口面積は、図１９に示すように、スライダー治具１４９によって摘み１４２を把持してスライド板１４１をスライドさせることによって、変更可能である。
【００５０】
上記構成の装置１０においては、図４に示すように、小便器８の上部から噴出された洗浄水が、壁面８１を流れ、部材２によって、矢印Ａのように、容器本体１内に取り込まれる。このとき、縦溝２４は、取り込まれる洗浄水の流通路となって洗浄水の流れを助長する。取り込まれた洗浄水は、容器本体１の底に至り、排出口１４から排出され、部材３の背面上を矢印Ｂのように流れ、壁面８１に至る。
【００５１】
ところで、排出口１４の開口面積は、通常、洗浄水の取り込み量よりも排出量の方が小さくなるよう設定されている。それ故、取り込まれた洗浄水は、次第に容器本体１内に貯留されていく。そして、薬剤５が、貯留された洗浄水に浸漬していき、洗浄水に溶解される。これにより、薬剤５が溶解した洗浄水、すなわち、薬液が、生成する。
【００５２】
一方、小便器８において、洗浄水は、使用時に所定量が１回だけ噴出される。したがって、装置１０においては、洗浄水の取り込み量が次第に減少していき、排出が次第に優先的に行われるようになり、薬液が排出されていく。こうして、薬液が、装置１０の下方の壁面８１を流れることとなる。これにより、壁面８１の清浄化が図られる。ここで、清浄化とは、薬液の作用によって、尿石の生成を防止したり、汚れを取ったり、殺菌したり、消臭したり、芳香を与えたりすることである。
【００５３】
以上のように、上記構成の装置１０によれば、小便器８の上部から噴出された洗浄水を取り込んで、薬液を排出することができる。したがって、壁面８１の清浄化を図ることができる。
【００５４】
しかも、容器本体１が間仕切りの無い１つの部屋で構成されているので、薬剤５を洗浄水に十分に浸漬させることができる。したがって、薬液の濃度を高めることができる。
【００５５】
また、洗浄水の取り込み量が排出量よりも大きくなりすぎた場合には、貯留された洗浄水が溢れる恐れがある。しかし、背面部１１に溢れ口１５を有しているので、貯留された洗浄水は、正面側から溢れる前に、溢れ口１５から溢れる。したがって、洗浄水が正面側から溢れるのを防止できる。また、溢れ口１５からオーバーフローした洗浄水は、背面中央部１２の外面上を流れ、部材３の背面上を流れて、壁面８１に至るので、オーバーフローした洗浄水を、壁面８１の清浄化に使用できる。
【００５６】
また、排出口１４の開口面積が変更可能であるので、取り込んだ洗浄水の排出量を調節できる。それにより、洗浄水の貯留量を設定できる。したがって、薬剤５の溶解の程度を調節でき、小便器８の汚れの程度に適した濃度の薬液を生成させることができる。
【００５７】
しかも、排出口１４の開口面積が、スライド板１４１をスライドさせることによって変更可能であるので、排出口１４の開口面積を、簡単に、確実に、且つ、精度良く、変更できる。
【００５８】
また、部材２によって取り込まれる洗浄水が跳ね上がっても、その洗浄水は、蓋体４の正面衝立部４１に背面側から衝突して落下する。したがって、洗浄水が正面側に飛び散るのを、防止できる。
【００５９】
また、貯留された洗浄水によって薬剤５が浮き上がってきても、薬剤５は、蓋部４２によって押さえ付けられるため、蓋部４２より上には浮かばない。したがって、薬剤５を洗浄水に十分に浸漬させることができる。また、薬剤５が浮き上がって容器本体からこぼれ落ちてしまうのを、防止できる。
【００６０】
また、部材２が弾性材料でできているので、上縁２２を壁面８１に圧接させることができる。したがって、壁面８１を流れ落ちてくる洗浄水を、部材２によって効率良く取り込むことができる。よって、洗浄水の取り込み量を増大できる。
【００６１】
また、部材３が弾性材料でできているので、下縁３２の波状の凸部３２１を壁面８１に圧接させることができる。したがって、排出する洗浄水を確実に壁面８１に沿わせることができる。
【００６２】
また、部材２が容器本体１に対して着脱自在であるので、小便器の洗浄水の噴出形式に適したタイプの洗浄水取込用部材を用いることができる。例えば、図１２の（ｂ）に示すように、部材２を洗浄水の噴出形式がスプレッダータイプである小便器８に使用できる。一方、図１２の（ａ）に示すように、部材２０を洗浄水の噴出形式がシャワータイプの小便器８０に使用できる。
【００６３】
また、部材２の幅寸法Ｗ（図１１）が変更可能であるので、部材２による洗浄水の取り込み量を調節できる。それにより、洗浄水の貯留量を設定できる。したがって、薬剤５の溶解の程度を調節でき、小便器８の汚れの程度に適した濃度の薬液を生成させることができる。
【００６４】
更に、部材２が縦溝２４を有しているので、部材２の正面上を流れる洗浄水は、縦溝２４を通って円滑に容器本体１内へ取り込まれる。したがって、洗浄水の取り込みを円滑に行うことができる。
【００６５】
上記構成の取付機構９によれば、壁面８１にシール９１を貼り付け、シール９１に取付板９３を両面テープ９２によって貼り付け、取付板９３のフック９３１に装置１０を引っ掛けることによって、装置１０を壁面８１に取り付けることができる。したがって、装置１０を壁面８１に簡単に取り付けることができる。
【００６６】
しかも、フック９３１の先端９３１１が小開口９５２から抜けないようになっているので、装置１０を壁面８１に確実に取り付けることができる。
【００６７】
更に、シール９１と両面テープ９２との接着面が封止材９４によって封止されているので、両面テープ９２がシール９１から簡単に剥がれてしまうのを防止できる。
【産業上の利用可能性】
【００６８】
本発明の小便器用薬液供給装置は、従来に比して更に高い清浄効果を発揮でき、本発明の取付機構は、小便器用薬液供給装置を、簡単に且つ確実に、小便器の壁面に取り付けることができるので、両発明とも、産業上の利用価値が大である。
【図面の簡単な説明】
【００６９】
【図１】本発明の小便器用薬液供給装置及びその取付機構を示す斜視図である。
【図２】取り付けられて使用されている状態の本発明の装置を示す斜視図である。
【図３】取付機構を有する本発明の装置の正面図である。
【図４】図３のIV−IV断面図である。
【図５】図３のＶ矢視図である。
【図６】図５のVI矢視図である。
【図７】本発明の装置の分解斜視図である。
【図８】図７のＡ部の背面斜視図である。
【図９】容器本体の平面図である。
【図１０】蓋体の正面図である。
【図１１】洗浄水取込用部材の一使用方法を示す斜視図である。
【図１２】洗浄水取込用部材の別の例とそれを用いる小便器とを示す斜視図である。
【図１３】取付機構による取付作業の一工程を示す斜視図である。
【図１４】図１３に続く工程を示す斜視図である。
【図１５】図１４に続く工程を示す斜視図である。
【図１６】図１５に続く工程を示す斜視図である。
【図１７】取付機構の横断面部分図であり、図８のＸVII−ＸVII断面に相当する図である。
【図１８】図１７のＸVIII−ＸVIII断面図である。
【図１９】スライダー治具を用いた作業を示す斜視図である。
【符号の説明】
【００７０】
１  容器本体  １０  小便器用薬液供給装置  １１  背面部  １４  排出口  １４１  スライド板  １５  溢れ口  ２  洗浄水取込用部材  ２４  縦溝  ３  洗浄水排出用部材  ４  蓋体  ４１  正面衝立部  ４２  蓋部  ８  小便器  ８１  壁面  ９  取付機構  ９１  シール  ９２  両面テープ  ９３  取付板  ９３１  フック  ９４  封止材  ９５  フック用開口部
【図１】
2005344347.tif 000003
【図２】
2005344347.tif 000004
【図３】
2005344347.tif 000005
【図４】
2005344347.tif 000006
【図５】
2005344347.tif 000007
【図６】
2005344347.tif 000008
【図７】
2005344347.tif 000009
【図８】
2005344347.tif 000010
【図９】
2005344347.tif 000011
【図１０】
2005344347.tif 000012
【図１１】
2005344347.tif 000013
【図１２】
2005344347.tif 000014
【図１３】
2005344347.tif 000015
【図１４】
2005344347.tif 000016
【図１５】
2005344347.tif 000017
【図１６】
2005344347.tif 000018
【図１７】
2005344347.tif 000019
【図１８】
2005344347.tif 000020
【図１９】
2005344347.tif 000021